【事件の表示】
　特願２００７−　５６２３２「生体情報測定用電極」拒絶査定不服審判事件〔平成２０年　９月１８日出願公開、特開２００８−２１２４８９〕について、次のとおり審決する。
【結　論】
　本件審判の請求は、成り立たない。
【理　由】
第１　手続の経緯 
本願は，平成１９年３月６日を出願日とする出願であって，平成２４年５月９日付けで拒絶理由が通知され，同年７月１３日付けで手続補正がなされ、同年８月８日付けで拒絶査定がなされ、同年１１月１４日に拒絶査定不服審判の請求がなされるとともに，同日付けにて手続補正（以下，「本件補正」という。）がなされたものである。
　さらに，平成２５年８月２７日付けで審尋がなされ，回答書が同年１１月１日付けで請求人より提出されたものである。
　
第２　本件補正についての補正の却下の決定　 
［補正の却下の決定の結論］　 
　本件補正を却下する。　 
　　 
［理由］　 
１　補正後の本願発明（下線は補正箇所を示す。）　 
　本件補正により，補正前の特許請求の範囲の請求項１は，
「　【請求項１】
　被検者の生体情報測定に供する電極
部
　
前記電極部を覆うように設けられたゲル層と、前記ゲル層の周囲に設けられた粘着層とを有し、
部と一体となって
けられる
　前記
ゲル層及び前記粘着層に貼り付き、それら
、
　を有し、
　前記切込部は、前記フィルム部の縁部から始まり、前記非被覆領域及び前記被覆領域を横切って、
前記フィルム部の他の縁部に到達しない、
前記粘着層によって粘着される
　ことを特徴とする生体情報測定用電極。」
と補正された。　 
　
　本件補正は，補正前の請求項１に係る発明を特定するために必要な事項である「貼付部」について、「前記電極本体に設けられ、前記電極本体を前記被検者の身体に貼付ける貼付部」を「
前記電極部を覆うように設けられたゲル層と、前記ゲル層の周囲に設けられた粘着層とを有し、
部と一体となって
けられる
ゲル層及び前記粘着層に貼り付き、それら
前記フィルム部の他の縁部に到達しない、
前記粘着層によって粘着される
　したがって，本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで，本件補正後の前記請求項１に係る発明（以下「補正発明」という。）が，特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願の出願前に頒布され，原査定の拒絶の理由に引用された刊行物である特開２０００−１２６１４５号公報（以下、「刊行物１」という。）には、「心電計測方法及び生体用電極」について、図面とともに次の事項が記載されている（下線は当審で付与した。）。
（１−ア）　「【０００１】
【発明の属する技術分野】この発明は、心電計測方法及びこの
心電計測等に使用される生体電極
　
（１−イ）　「【００２３】図１５は、図１３、図１４に示すものを従来例とする、この発明のさらに他の実施形態生体電極を示し、図１５の（ａ）は断面図、図１５の（ｂ）は裏面図、図１５の（ｃ）は剥離シートの一部を剥がした状態を示す裏面図である。この実施形態生体電極は、
電極３１の周囲に非導電粘着シート３３を配し、電極３１を含んだ合成紙３５を形成する一方、粘着シート３３の離面に剥離シート３６を貼着
剥離シート３６に円形状のカットライン３６ａを形成し
導電部を含む粘着シート３３の中心領域を覆うシート部３６ｂと、非導電部である粘着シート３３の周辺部領域を覆うシート部３６ｃで構成し
【００２４】この生体電極を用いて計測する場合には、先ず
導電部に取り付けられた剥離シート３６ｂを剥がした〔図１５の（ｃ）参照〕状態で、生体に装着
　
（１−ウ）　「【００２７】図１８は、この発明のさらに他の実施形態生体電極を示す。ここに示す実施形態生体電極は、それぞれ図１５、図１６に示した生体電極において、
剥離シート３６ｃ
にカットライン３８ａ
を設け
電極の貼り付け位置を決定した後に、生体から電極を剥がさなくても非導電部の剥離シートを剥がすことが可能となる。
　
（１−エ）　図１３〜１８には、非導電性粘着シート３３を含んだ電極３１が、それよりも大きい剥離シート３６によって粘着面全体を覆われており、剥離シート３６には、粘着面を覆っていないシート部分が存在している生体電極の構成が記載されている。
　
　上記（１−ア）〜（１−エ）の記載と第１〜２０図を参照すると，上記刊行物１には，次の発明が記載されていると認められる。
「電極３１の周囲に非導電粘着シート３３を配し、電極３１を含んだ合成紙３５を形成する一方、非導電粘着シート３３の離面に剥離シート３６を貼着し、剥離シート３６に円形状のカットライン３６ａを形成し、剥離シート３６を導電部を含む粘着シート３３の中心領域を覆うシート部３６ｂと、非導電部である粘着シート３３の周辺部領域を覆うシート部３６ｃと、粘着面を覆っていないシート部分で構成し、さらに、周辺部領域を覆うシート部３６ｃと粘着面を覆っていないシート部分にカットライン３８ａを設け、
導電部に取り付けられた剥離シート３６ｂを剥がした状態で、生体に装着し、
電極の貼り付け位置を決定した後に、生体から電極を剥がさなくても非導電部の剥離シートを剥がすことが可能となる、心電計測等に使用される生体電極。」の発明（以下、「引用発明」という。）
　
３　対比・判断 
　補正発明と引用発明とを対比する。
ア　引用発明の「電極３１」、「剥離シート３６」、および「生体電極」は、それぞれ補正発明の「電極部」、「フィルム部」、および「生体情報測定用電極」に相当することは明らかである。
　
イ　引用発明の「非導電粘着シート３３」は、「導電部を含む粘着シート３３の中心領域」を覆うシート部３６ｂと、非導電部である粘着シート３３の周辺部領域」を含み、「導電部に取り付けられた剥離シート３６ｂを剥がした状態で、生体に装着し電極の貼り付け位置を決定した後に、」「非導電部の剥離シートを剥がす」のであるから、剥がした後は、全体が粘着性のシートとなるので、補正発明の「前記電極部と一体となって前記被検者の身体に貼付けられる貼付部」に相当する
　
ウ　引用発明の「剥離シート３６を導電部を含む粘着シート３３の中心領域を覆うシート部３６ｂと、非導電部である粘着シート３３の周辺部領域を覆うシート部３６ｃと、粘着面を覆っていないシート部分で構成し、さらに、周辺部領域を覆うシート部３６ｃと粘着面を覆っていないシート部分にカットライン３８ａを設け」と補正発明の「前記ゲル層及び前記粘着層に貼り付き、それらを被覆する被覆領域と、前記被覆領域から外延した非被覆領域と、前記非被覆領域の周縁部から前記被覆領域に向かって切込まれた切込部と、を有するフィルム部」とは「前記貼付部を被覆する被覆領域と、前記被覆領域から外延した非被覆領域と、前記非被覆領域の周縁部から前記被覆領域に向かって切込まれた切込部と、を有するフィルム部」の点で共通する。
　
エ　補正発明の「切込部」は、請求項３に「前記切込部のうち、前記被覆領域の内部の位置で止まっている一端には、・・・、抜き穴が形成されている」と記載されていることから、抜き穴が形成されているものも含む。
　そうすると、引用発明の「円形状のカットライン３６ａ」は補正発明の抜き穴に相当するので、引用発明の「円形状のカットライン３６ａとカットライン３８ａ」は、補正発明の「切込部」に相当する。
　また、引用発明のカットライン３８ａが、「非導電部である粘着シート３３の周辺部領域を覆うシート部３６ｃ」に設けられていることが、補正発明の「切込部は」、「被覆領域の内部の前記粘着層によって粘着される位置で止まっている」ことに相当する。
　さらに、引用発明の「粘着面を覆っていないシート部分にカットライン３８ａを設け」ることが、補正発明の「切込部は」、「前記フィルム部の縁部から始まり、前記非被覆領域及び前記被覆領域を横切って、前記フィルム部の他の縁部に到達しない」ことに相当する。
　
　そうすると，両者は，　 
（一致点）  
　「被検者の生体情報測定に供する電極部と、
　粘着層を有し、前記電極部と一体となって前記被検者の身体に貼付けられる貼付部と、
　前記貼付部を被覆する被覆領域と、前記被覆領域から外延した非被覆領域と、前記非被覆領域の周縁部から前記被覆領域に向かって切込まれた切込部と、を有するフィルム部と、
　を有し、
　前記切込部は、前記フィルム部の縁部から始まり、前記非被覆領域及び前記被覆領域を横切って、前記フィルム部の他の縁部に到達しない、前記被覆領域の内部の前記粘着層によって粘着される位置で止まっている、
　ことを特徴とする生体情報測定用電極。」
である点で一致し，以下の点で相違するといえる。　
　
（相違点）　
　粘着層を有する貼付部について、補正発明は、「電極部を覆うように設けられたゲル層と、前記ゲル層の周囲に設けられた粘着層とを有し」ているのに対して、引用発明はゲル層を有しない点。
　
（１）相違点についての検討
　本願出願前に頒布された刊行物である実願平５−２０６５０号（実開平６−７７７０３号）のＣＤ−ＲＯＭには、「【０００８】・・・図１において、１は使い捨て電極であり、・・・半固形の導電性粘着ゲル２、この導電性粘着ゲル２内に埋め込まれる・・・導電板３、及びこの導電板３に接続される・・・接続部４から構成される。・・・
【００１２】
 ・・・使い捨て電極１ａは、図１の実施例の使い捨て電極１に、・・・カバー１０及び剥離シート１１を被覆するようにしたものである。また、カバー１０及び剥離シート１１との接合面には、粘着材１２が粘着され、・・・生体Ｍの所定の測定部位に使い捨て電極１ａを取り付けるようにしたものである。」と記載され、本願出願前に頒布された刊行物である特開平５−２９８５８９号公報には、「【００１４】・・・電極板１９と被検者１０との間には電解質ゲル層２４が設けられ、電極全体はこの電解質ゲル層２４の周囲に設けられた粘着層２５によって被検者１０の胸部へ貼着されるようになっている。」と記載されており、「電極部を覆うように設けられたゲル層と、前記ゲル層の周囲に設けられた粘着層」を有す電極は周知技術である。
　そして、電極部と生体との電気的及び物理的な接触を良好にすることは、正確な測定のための当然の技術課題である。
　してみると、引用発明に上記周知技術を付加して、相違点に記載の補正発明の構成とすることは，十分動機付けがあり，阻害要因もなく，当業者が容易に想到するものといえる。
　
（２）そして，補正発明の作用効果は，刊行物１記載の事項および周知技術から当業者が予測し得る範囲内のものにすぎない。
　
（３）したがって，補正発明は，引用発明および周知技術に基づいて当業者が容易に発明をすることができたものであるというべきであり，特許法第２９条第２項の規定により，特許出願の際独立して特許を受けることができないものである。
　　 
４　まとめ　 
　以上のとおりであるから，本件補正は，平成１８年法改正前の特許法第１７条の２第５項において準用する同法第１２６条第５項の規定に違反するので，同法第１５９条第１項の規定において読み替えて準用する同法第５３条第１項の規定により，却下すべきものである。　
　
第３　本願発明について　 
１　本願発明　 
　本件補正は，上記のとおり却下されることとなるので，本願の請求項１〜３に係る発明は，平成２４年７月１３日付け手続補正書により補正された明細書の特許請求の範囲の請求項１〜３に記載された事項により特定されたものであって，その請求項１に係る発明は，次のとおりであると認める。　 
「　　【請求項１】
　被検者の生体情報測定に供する電極本体と、
　前記電極本体に設けられ、前記電極本体を前記被検者の身体に貼付ける貼付部と、
　前記貼付部を被覆する被覆領域と、前記被覆領域から外延した非被覆領域と、前記非被覆領域の周縁部から前記被覆領域に向かって切込まれた切込部とを有するフィルム部と、
　を有し、
　前記切込部は、前記フィルム部の縁部から始まり、前記非被覆領域及び前記被覆領域を横切って、前記被覆領域の内部の位置で止まっている、
　ことを特徴とする生体情報測定用電極。」（以下，「本願発明」という。）
　
２　引用刊行物およびその記載事項　 
　本願出願前に頒布された刊行物１およびその記載事項は，上記「第２　２」に記載したとおりである。　 
　　 
３　当審の判断　 
　本願発明は，補正発明の「
前記電極部を覆うように設けられたゲル層と、前記ゲル層の周囲に設けられた粘着層とを有し、
部と一体となって
けられる
補正発明の「前記
ゲル層及び前記粘着層に貼り付き、それら
補正発明の「
前記フィルム部の他の縁部に到達しない、
前記粘着層によって粘着される
　そうすると，補正発明と引用発明との（相違点）は、本願発明が「ゲル層」の限定を省いたことにより本願発明と引用発明との相違点ではなくなるので、本願発明は、刊行物１に記載された発明である。
　
第４　まとめ　 
　以上のとおり，本願発明は，特許法第２９条第１項第３項に該当し、特許を受けることができないから，その他の請求項について言及するまでもなく，本願は拒絶されるべきものである。　 
　よって，結論のとおり審決する。